(57)【要約】      （修正有）【課題】効率の良い自動清掃を行うことができると共に、定期的なメンテナンスなどを可能な限り省け、更に、万一、窓ガラスから落下したとしても人や物を傷つけるおそれのきわめて低い窓ガラス用清掃具を提供する。【解決手段】窓ガラスに固着する支持板１に、風圧によって揺動又は回転する帯状体３を吊り下げてある構成にする。支持板に帯状体を吊り下げてあるという簡易な構造であれば、こまめなメンテナンスなどを要しない。また、このような簡易な構造でありながらも風圧を受ければ、帯状体が揺動又は回転して窓ガラスに触れるため、自動的に窓ガラスの汚れを払い落すという優れたものである。【選択図】図１
2015008738.tif 000002
【特許請求の範囲】
【請求項１】
窓ガラス（２０）に固着する支持板（１）に、風圧によって揺動又は回転する帯状体（３）を吊り下げてあることを特徴とする、窓ガラス用清掃具。
【請求項２】
前記支持板（１）は、その厚みが１ｍｍ以下であることを特徴とする、請求項１記載の窓ガラス用清掃具。
【請求項３】
前記支持板（１）は、帯状体（３）と接する面に滑性を有していることを特徴とする、請求項１、又は２記載の窓ガラス用清掃具。
【請求項４】
前記帯状体（３）は、前記支持板（１）に取り付けたピン（５）により軸支されていることを特徴とする、請求項１、２、又は３記載の窓ガラス用清掃具。
【請求項５】
前記帯状体（３）は、前記ピン（５）によって軸支されている部位では、二重に折り畳まれていることを特徴とする、請求項４記載の窓ガラス用清掃具。
【請求項６】
ピン通し孔のついた玉（６）を前記帯状体（３）の外側に配置し、前記帯状体（３）と共に前記ピン（５）によって軸支されていることを特徴とする、請求項４、又は５記載の窓ガラス用清掃具。
【請求項７】
前記玉（６）は、滑性を有することを特徴とする、請求項６記載の窓ガラス用清掃具。
【発明の詳細な説明】
【技術分野】
【０００１】
本発明は、窓ガラスに付着した汚れを除去する窓ガラス用清掃具に関するものである。
【背景技術】
【０００２】
従来、高層ビルの窓ガラスなど、人力での作業が困難な場所の窓ガラスを清掃するために、後記特許文献のような清掃具が公開されている。
【０００３】
特許文献１では、窓ガラス全体を効率良く清掃できると共に、清掃用ブラシとその駆動機構をコンパクトにした窓ガラスの自動洗浄装置が公開されている。
【先行技術文献】
【特許文献】
【０００４】
【特許文献１】特開平１１−２５３３６２号公報
【発明の概要】
【発明が解決しようとする課題】
【０００５】
しかしながら、上述した自動洗浄装置は、イニシャルコストが高いことはもちろんのこと、運転方法が複雑なために、こまめなメンテナンスが必要であることや、万一、落下すると、物や人を傷つけるおそれがある等の問題点がある。
【０００６】
本発明は上記実情を考慮したもので、その解決課題は、効率の良い自動清掃を行うことができると共に、定期的なメンテナンスなどを可能な限り省け、更に、万一、窓ガラスから落下したとしても人や物を傷つけるおそれのきわめて低い窓ガラス用清掃具を提供することである。
【課題を解決するための手段】
【０００７】
前記の課題を解決するための本発明は、窓ガラスに固着する支持板に、帯状体を吊り下げてある清掃具であって、その帯状体は、風圧によって揺動又は回転することを特徴とする。なお、ここでいう帯状体とは、風圧を受けると、揺動又は回転し、このときにトンネル内の壁面と擦れ合って、壁面に付着している汚れを拭き払うものであって、例として、帯状の布や、太い紐などが挙げられる。
【０００８】
そして、支持板は、厚ければその分重く、そして窓ガラスと帯状体の間に隙間ができるため、支持板の厚みは１ｍｍ以下であることが好ましい。
【０００９】
また、よりスムーズに帯状体が回転するために、支持板は、帯状体と接する面が滑性を有していることが好ましい。なお、ここでいう滑性を有する板は、いわゆるアクリル板等が望ましい。
【００１０】
そして、帯状体は、風圧により容易に回転するように、支持板に取り付けたピンによって軸支されていることが好ましい。なお、ここでいうピンとは、両端部がＴ字状に形成された弾性変形可能な線状のピン、いわゆるタグピンと呼ばれるもの等が望ましい。
【００１１】
そして、帯状体が布の場合には、捻じれ難くするために、ピンによって軸支されている部位では、二重に折り畳まれていることが好ましい。
【００１２】
更に、帯状体が、より一層窓ガラスに沿って回転するためには、ピン通し孔のついた玉を帯状体の外側に配置し、帯状体と共に前記ピンによって軸支されていることが好ましい。
【００１３】
なお、玉の形状等は特に限定しないが、よりスムーズに帯状体が回転するためには、玉の帯状体と接する面は滑性を有していることが好ましい。なお、ここでいう玉とは、糸通し孔のついた小さな飾り玉である、いわゆるビーズと呼ばれるもの等が望ましい。
【発明の効果】
【００１４】
本発明のように、支持板に帯状体を吊り下げてあるという簡易な構造であれば、こまめなメンテナンスなどを要しない。また、このような簡易な構造でありながらも風圧を受ければ、帯状体が揺動又は回転して窓ガラスに触れるため、自動的に窓ガラスの汚れを払い落すという優れたものである。
【００１５】
そして、支持板の厚みが１ｍｍ以下であれば、非常に軽いため、窓ガラスや壁面に固着しやすくなるし、万一落下した場合にも人や物を傷つけるおそれが少なくなる。そして、厚みがないということは、その分だけ帯状体と窓ガラスとの間の隙間が少なくなるということなので、より広い面積で帯状体が窓ガラスに触れ易くなるため、効率の良い清掃が可能となる。
【００１６】
また、支持板は、帯状体と接する面に滑性を有している構成にすれば、よりスムーズに帯状体が回転し、効率の良い清掃に繋がる。
【００１７】
そして、帯状体は、支持板に取り付けたピンにより軸支されている構成であれば、風圧のエネルギーをダイレクトに、帯状体が回転する力にすることができるため、効率の良い清掃に繋がる。
【００１８】
更に、前記帯状体が布である場合には、ピンによって支持板に軸支される部位では、帯状体が二重に折り畳まれている構成にすれば、帯状体が揺動又は回転する際に、ねじれ難くなると共に、回転軸が安定するため、帯状体をより一層スムーズに揺動又は回転させることができる。
【００１９】
そして、ピン通し孔のついた玉を帯状体の外側に配置し、帯状体と共にピンによって支持板に軸支される構成にすれば、玉によって面積の広いソフトな押しつけを受けることにより、帯状体は、窓ガラスに張り付きつつも、スムーズに回転することができる。なお、この時、玉が滑性を有するものであれば、帯状体の回転はより滑らかなものになることが期待できる。
【図面の簡単な説明】
【００２０】
【図１】本発明による窓ガラス用清掃具の第１例を示す斜視図である。
【図２】本発明による窓ガラス用清掃具の第２例を示す斜視図である。
【図３】本発明による窓ガラス用清掃具の第３例を示す斜視図である。
【図４】本発明による窓ガラス用清掃具の第３例を示す側面図である。
【図５】本発明による窓ガラス用清掃具の第４例を示す側面図である。
【図６】（ａ）、（ｂ）、（ｃ）、（ｄ）図は、本発明による窓ガラスの清掃具の下端に様々なデザインを施した例を示す斜視図である。
【図７】本発明による窓ガラスの清掃具の使用状態を示す斜視図である。
【発明を実施するための形態】
【００２１】
以下、この発明の実施の形態を図１から図７を参照して詳細に説明する。まず、本発明の窓ガラス２０の清掃具１０の第１例は、図１に示すように、支持板１と、両面粘着テープ２と、帯状体３と、留め糸４によって構成されている。
【００２２】
支持板１は、帯状体３を吊り下げるためのものであって、本発明の第１例では留め糸４を結ぶための抜孔が開けてあり、この抜孔に留め糸４を通し結ぶことで、留め糸４の一端部を逢着、つまり結んで固定する。この支持板１は、厚みが１ｍｍ以下のものであることが好ましく、このことによって軽量化を図ると共に、窓ガラス２０と、清掃具１０との間の隙間をできる限り小さくしている。なお、支持板１の軽量化は、支持板１と、窓ガラス２０との接着を強固なものとすると共に、万一、剥離して落下した際にも人や物などを傷つけにくい効果を持つ。また、窓ガラス２０と、清掃具１０との間の隙間が小さいことは、帯状体３が窓ガラス２０に接し易くなる効果を持つ。
【００２３】
そして、支持板１は、帯状体３と接する面に滑性を有していることが好ましく、アクリル板が好適である。アクリル板は、自己潤滑性に優れると共に、軽量化が図れることと、耐候性を有している。なお、ここで用いる耐候性とは、風雨、温度変化などに対し、変形、変色、劣化等の変質を起こしにくい性質をさす。また、厚さ１ｍｍ以下のアクリル板であれば、鋏などによっても簡単に切断可能であるため加工が容易であり、利便性が高い。
【００２４】
両面粘着テープ２は、支持板１を窓ガラス２０に固着するものであって、支持板１と同様、１ｍｍ以下の厚さであることと、防水性を有するものであることが望ましい。
【００２５】
帯状体３は、風圧を受けると、揺動又は回転し、このときに窓ガラス２０の表面と擦れ合って、窓ガラス２０に付着している汚れを拭き払うものであって、本実施形態例では図面に示すように細長い帯状の布を好ましい一例として挙げている。この帯状体３の長さは通常６０ｃｍ程度であって、帯状体３は、この長さを半径とした円形軌道を描きながら、揺動又は回転する。なお、この長さはある程度は短いほうが、より揺動・回転し易くなる傾向があり、３０ｃｍ程度の長さのものが最も効率のよい清掃を行うことができる。また、帯状体３の幅に関しては、数ｃｍ以内のものであることが望ましく、この程度であれば、万一ちぎれて飛散した場合でも自動車の運転手の視野を妨げたりすることはない。なお、図に示すような帯状の布の生地は、トリコットと呼ばれる経方向に連続したループを形成することにより作成した、ほつれに強い生地が好適であるが、これに限定されるものではない。また、繊維の材質に関しても、天然繊維、再生繊維、合成繊維の種類等を特に限定したものではない。
【００２６】
留め糸４は、細長い線状のものであって、非常に強く伸縮性がある、ナイロン糸のような化学合成繊維であることが望ましい。
【００２７】
なお、留め糸４は本発明の必須要素ではなく、例えば、本発明の窓ガラス２０の清掃具１０の第２例である、図２に示すように、支持板１と、両面粘着テープ２と、帯状体３によって構成し、支持板１に接着剤等で帯状体３の一端部を固定したものであってもよい。
【００２８】
本発明の窓ガラス２０の清掃具１０の第３例は、図３、図４に示すように、支持板１と、両面粘着テープ２と、帯状体３と、ピン５によって構成されており、帯状体３は、ピン５によって支持板１に軸支されているものである。そして、帯状体３は、その軸支されている部位、言い換えるならば、支持板１と帯状体３とが接する位置では、二重に折り畳まれている。
【００２９】
なお、帯状体３を軸支するものであるピン５は、一端部が支持板１を貫通し、固定されているものである。このピン５は、タグピンと呼ばれる、両端部がＴ字状に形成された弾性変形可能な線状のピンであることが望ましい。タグピンであれば、通常はタグガンにより、打つことになるが、タグガンの針をつなげたいもの2つ（2つ以上）に通して、タグガンの引き金を引くだけで、タグピンは針の先を通ってつなげたいもの同士を連結するため、清掃具１０の作成を簡略化できる。
【００３０】
本発明の窓ガラス２０の清掃具１０の第４例は、図５に示すように、支持板１と、両面粘着テープ２と、帯状体３と、ピン５と、玉６によって構成されている。
【００３１】
玉６は、帯状体３の外側、言い換えるならば支持板１とは反対側に配置し、帯状体３と共にピン５によって支持板１に軸支されるものである。この玉６は、ピン５を通すための孔が開いているものであって、例えば、糸通し孔のついた小さな飾り玉である、いわゆるビーズと呼ばれるもの等が望ましい。そして、この玉６が面積の広いソフトな押しつけを帯状体３に与えることによって、帯状体３は、窓ガラス２０に張り付きつつも、スムーズに回転することができる。
【００３２】
そして、この玉６の外形は特に限定するものではないが、帯状体３が引っ掛からないように丸みを帯びたものが望ましく、且つ、滑性を有するものであることが好ましい。このことにより、帯状体３は、更に揺動又は回転し易くなる。
【００３３】
なお、本発明の清掃具１０は、上記実施形態に限定されるものではなく、例えば、両面粘着テープ２を用いることなく、支持板１を接着剤等で窓ガラス２０に直接固着させても問題はないし、図６（a）から図６（ｄ）に示すように、帯状体３の下端に様々なデザインを施したものでも問題ない。
【００３４】
上述した清掃具１０を用いた本発明の窓ガラス２０の清掃方法は次の通りである。図７に示すように、多数の清掃具１０を等間隔おきに窓ガラス２０に接着する。そして風圧により、支持板１から吊り下がっている帯状体３が揺動、又は回転する。この時、帯状体３は、回転しながらも、風圧によって軽く窓ガラス２０に押し付けられることから、窓ガラス２０に付着している汚れを拭き払うことができる。
【００３５】
なお、本実施形態例では、窓ガラス２０に付着している汚れを拭き払う清掃具１０としての構成を説明したが、この構成は、例えば家屋の壁面の清掃具や、窓ガラスなどに蜘蛛の巣を張られるのを予防するためのものとしても、そのまま適用できる。
【符号の説明】
【００３６】
１    支持板
２    両面粘着テープ
３    帯状体  
４    留め糸
５    ピン
６    玉
１０  清掃具
２０  窓ガラス
【図１】
2015008738.tif 000003
【図２】
2015008738.tif 000004
【図３】
2015008738.tif 000005
【図４】
2015008738.tif 000006
【図５】
2015008738.tif 000007
【図６】
2015008738.tif 000008
【図７】
2015008738.tif 000009